【手続補正書】
【提出日】平成22年1月21日(2010.1.21)
【手続補正１】
【補正対象書類名】明細書
【補正対象項目名】００２０
【補正方法】変更
【補正の内容】
【００２０】
この基本的な情報は、出願人が本発明に関連し得ると考える情報を発表する目的で提供するものであり、必ずしも承認を意図するものでない。また前記の情報はいずれも、本発明に対する先行技術を構成すると解釈されてはならない。
この出願の発明に関連する先行技術文献情報としては、以下のものがある（国際出願日以降国際段階で引用された文献及び他国に国内移行した際に引用された文献を含む）。
【特許文献１】米国特許第５，０８３，０１６号明細書
【特許文献２】米国特許第５，９８１，９３２号明細書
【特許文献３】米国特許第６，１９４，７４０号明細書
【特許文献４】米国特許第６，４８６，５０４号明細書
【特許文献５】米国特許第５，６６５，９５９号明細書
【特許文献６】国際公開第９６／３４４１６号パンフレット
【特許文献７】国際公開第９７／０５６５９号パンフレット
【特許文献８】国際公開第２０００／０１９７０６号パンフレット
【特許文献９】国際公開第２００２／０６７３３７号パンフレット
【特許文献１０】国際公開第２００３／０７３５０７号パンフレット
【特許文献１１】国際公開第２００５／０１５６３９号パンフレット
【特許文献１２】国際公開第２００６／０４２４０７号パンフレット
【特許文献１３】米国特許第５，９６２，８５６号明細書
【特許文献１４】米国特許出願公開第２００２／１３４９１８号明細書
【非特許文献１】Ｆ．  Ｔａｇｈｉｂａｋｈｓｈ，  Ｋ．Ｓ．  Ｋａｒｉｍ，  （２００７）  "Ａｍｐｌｉｆｉｅｄ  Ｐｉｘｅｌ  Ｓｅｎｓｏｒ  Ａｒｃｈｉｔｅｃｔｕｒｅ  ｆｏｒ  Ｌｏｗ  Ｄｏｓｅ  Ｃｏｍｐｕｔｅｄ  Ｔｏｍｏｇｒａｐｈｙ  ｕｓｉｎｇ  Ｓｉｌｉｃｏｎ  Ｔｈｉｎ  Ｆｉｌｍ  Ｔｅｃｈｎｏｌｏｇｙ"，  Ｐｒｏｃｅｅｄｉｎｇｓ  ｏｆ  ＳＰＩＥ，  ｖｏｌ．６５１０．
【非特許文献２】Ｆ．  Ｔａｇｈｉｂａｋｈｓｈ，  Ｋ．Ｓ．  Ｋａｒｉｍ，  （２００７）  "Ｈｉｇｈ  ｄｙｎａｍｉｃ  ｒａｎｇｅ  ２−ＴＦＴ  ａｍｐｌｉｆｉｅｄ  ｐｉｘｅｌ  ｓｅｎｓｏｒａｒｃｈｉｔｅｃｔｕｒｅ  ｆｏｒ  ｄｉｇｉｔａｌ  ｍａｍｍｏｇｒａｐｈｙ  ｔｏｍｏｓｙｎｔｈｅｓｉｓ"  ＩＥＴ  Ｃｉｒｃｕｉｔｓ  Ｄｅｖｉｃｅｓ  &  Ｓｙｓｔｅｍｓ，ｖｏｌ．  １，  ｎｏ．  １，  ｐｐ．  ８７−９２．
【非特許文献３】Ｇ．  Ｓａｎａｉｅ−Ｆａｒｄ，  ｅｔ  ａｌ．，  （２００４）  "Ｈｉｇｈ  Ｄｙｎａｍｉｃ  Ｒａｎｇｅ  Ｐｉｘｅｌ  Ａｍｐｌｉｆｉｅｒ  Ａｒｃｈｉｔｅｃｔｕｒｅ  Ｉｎ  Ａｍｏｒｐｈｏｕｓ  Ｓｉｌｉｃｏｎ  Ｔｅｃｈｎｏｌｏｇｙ  Ｆｏｒ  Ｄｉａｇｎｏｓｔｉｃ  Ｘ−ｒａｙ  Ｉｍａｇｉｎｇ  Ａｐｐｌｉｃａｔｉｏｎｓ，"  １０６ｔｈ  Ｍｅｅｔｉｎｇ  ｏｆ  ｔｈｅ  Ｅｌｅｃｔｒｏｃｈｅｍｉｃａｌ  Ｓｏｃｉｅｔｙ：  Ｔｈｉｎ  Ｆｉｌｍ  Ｔｒａｎｓｉｓｔｏｒ  Ｔｅｃｈｎｏｌｏｇｉｅｓ  ＶＩＩ  （ＴＦＴＴ  ＶＩＩ），  ＰＶ  ２００４−１５，  ｐｐ．  ２８９−３００．
【非特許文献４】Ｋ．Ｓ．  Ｋａｒｉｍ，  ｅｔ  ａｌ．，  （２００４）  "Ｈｉｇｈ  ｄｙｎａｍｉｃ  ｒａｎｇｅ  ｐｉｘｅｌ  ａｒｃｈｉｔｅｃｔｕｒｅｓ  ｆｏｒ  ｄｉａｇｎｏｓｔｉｃ  ｍｅｄｉｃａｌ  ｉｍａｇｉｎｇ，"  ｉｎ  Ｍｅｄｉｃａｌ  Ｉｍａｇｉｎｇ  ２００４：  Ｐｈｙｓｉｃｓ  ｏｆ  Ｍｅｄｉｃａｌ  Ｉｍａｇｉｎｇ，  ＳＰＩＥ，  ｖｏｌ．  ５３６８，  ｐｐ．６５７−６６７．
【非特許文献５】Ｋａｒｉｍ，  Ｋ．Ｓ．  ｅｔ  ａｌ．，  （２００３）  "Ａｍｏｒｐｈｏｕｓ  Ｓｉｌｉｃｏｎ  Ａｃｔｉｖｅ  Ｐｉｘｅｌ  Ｓｅｎｓｏｒ  Ｒｅａｄｏｕｔ  Ｃｉｒｃｕｉｔ  ｆｏｒ  Ｄｉｇｉｔａｌ  Ｉｍａｇｉｎｇ"，  ＩＥＥＥ  Ｔｒａｎｓ．  ｏｎ  Ｅｌｅｃｔｒｏｎ  Ｄｅｖｉｃｅｓ，  ５０  （１），  ｐｐ  ２００−８
【非特許文献６】Ｋａｒｉｍ，  Ｋ．Ｓ．  ａｎｄ  Ｎａｔｈａｎ，  Ａ．，  （２００２）  "Ｏｎ−Ｐｉｘｅｌ  Ａｍｏｒｐｈｏｕｓ  Ｓｉｌｉｃｏｎ  Ａｍｐｌｉｆｉｅｒ  ｆｏｒ  Ｄｉｇｉｔａｌ  Ｉｍａｇｉｎｇ，"  ｉｎ  Ｉｎｔｅｇｒａｔｅｄ  Ｏｐｔｏ−ｅｌｅｃｔｒｏｎｉｃｓ，  Ｍ．Ｊ．  Ｄｅｅｎ，  Ｄ．  Ｍｉｓｒａ，  Ｊ．  Ｒｕｚｙｌｌｏ，  Ｅｄｉｔｏｒｓ，  Ｔｈｅ  Ｅｌｅｃｔｒｏｃｈｅｍｉｃａｌ  Ｓｏｃｉｅｔｙ  Ｐｒｏｃｅｅｄｉｎｇｓ  ｖｏｌ．  ＰＶ２００２−４，  ｐｐ．  ３１３−３３２
【非特許文献７】Ｋａｒｉｍ  Ｓ．  Ｋａｒｉｍ，  ｅｔ  ａｌ．，  "Ａｃｔｉｖｅ  Ｐｉｘｅｌ  Ｓｅｎｓｏｒ  Ａｒｃｈｉｔｅｃｔｕｒｅｓ  ｉｎ  ａ−ＳｉＨ  ｆｏｒ  ＭｅｄｉｃａｌＩｍａｇｉｎｇ，"  Ｊ．  Ｖａｃ．  Ｓｃｉ．  Ｔｅｃｈｎｏｌ．  Ａ，  ｖｏｌ．  ２０，  ｎｏ．  ３，  ｐｐ．  １０９５  ‐  １０９９，  Ｍａｙ  ２００２．
【非特許文献８】Ｋａｒｉｍ，  Ｋ．Ｓ．  Ｎａｔｈａｎ，  ｅｔ  ａｌ．，  （２００２）  "Ａｍｏｒｐｈｏｕｓ  Ｓｉｌｉｃｏｎ  Ｐｉｘｅｌ  Ａｍｐｌｉｆｉｅｒ  ｗｉｔｈ  ＤｅｌｔａＶＴ  Ｃｏｍｐｅｎｓａｔｉｏｎ  ｆｏｒ  Ｌｏｗ  Ｎｏｉｓｅ  Ｄｉｇｉｔａｌ  Ｆｌｕｏｒｏｓｃｏｐｙ，"  Ｉｎｔｅｒｎａｔｉｏｎａｌ  Ｅｌｅｃｔｒｏｎ  Ｄｅｖｉｃｅｓ  Ｍｅｅｔｉｎｇ，  ｄｉｇｅｓｔ  ２００２，  ｐｐ．  ２１５−２１８．
【非特許文献９】Ｋａｒｉｍ，  Ｋ．Ｓ．，  ｅｔ  ａｌ．，  （２００１）  "Ａｌｔｅｒｎａｔｅ  Ｐｉｘｅｌ  Ａｒｃｈｉｔｅｃｔｕｒｅｓ  ｆｏｒ  Ｌａｒｇｅ  Ａｒｅａ  Ｍｅｄｉｃａｌ  Ｉｍａｇｉｎｇ，"  Ａｎｔｏｎｕｋ，  ｅｔ  ａｌ．，  ｅｄｉｔｏｒｓ；  Ｍｅｄｉｃａｌ  Ｉｍａｇｉｎｇ  ２００１：  Ｐｈｙｓｉｃｓ  ｏｆ  Ｍｅｄｉｃａｌ  Ｉｍａｇｉｎｇ，  Ｐｒｏｃｅｅｄｉｎｇｓ  ｏｆ  ＳＰＩＥ，  ｖｏｌ．  ４３２０，  ｐｐ．  ３５  ‐  ４６．
【非特許文献１０】Ｓｐｙｒｏｓ  Ｋａｖａｄｉａｓ  ｅｔ  ａｌ．，  （２０００）  "Ａ  Ｌｏｇａｒｉｔｈｍｉｃ  Ｒｅｓｐｏｎｓｅ  ＣＭＯＳ  Ｉｍａｇｅ  Ｓｅｎｓｏｒ  ｗｉｔｈ  Ｏｎ−Ｃｈｉｐ  Ｃａｌｉｂｒａｔｉｏｎ"  ＩＥＥＥ  Ｊｏｕｒｎａｌ  ｏｆ  Ｓｏｌｉｄ−Ｓｔａｔｅ  Ｃｉｒｃｕｉｔｓ，  ｖｏｌ．  ３５，  ｎｏ．  ８．
【非特許文献１１】Ｋａｒｉｍ，  Ｋ．Ｓ．  ｅｔ  ａｌ．，  （２０００）  "Ａｃｔｉｖｅ  Ｐｉｘｅｌ  ＴＦＴ  Ａｒｒａｙ  ｆｏｒ  Ｄｉｇｉｔａｌ  Ｉｍａｇｉｎｇ  Ａｐｐｌｉｃａｔｉｏｎｓ"  Ｅｌｅｃｔｒｏｃｈｅｍｉｃａｌ  Ｓｏｃｉｅｔｙ  Ｐｒｏｃｅｅｄｉｎｇｓ，  ｖｏｌ．  ２０００，  ｎｏ．  ３１，  ｐｐ．  ３２０−３３２．
【非特許文献１２】Ｈｕａｎｇ，  Ｚｈｏｎｇ−Ｓｈｏｕ  ａｎｄ  Ａｎｄｏ，  Ｔ．  （１９９０）  "Ｔｅｍｐｅｒａｔｕｒｅ  ｄｅｐｅｎｄｅｎｃｅ  ｏｆ  ｔｈｅ  ｏｕｔｐｕｔ  ｏｆ  ａｓｔａｃｋｅｄ  ａｎｄ  ａｍｐｌｉｆｉｅｄ  ｉｍａｇｅ  ｓｅｎｓｏｒ"  Ｊａｐ．  Ｊｏｕｒｎａｌ  ｏｆ  Ａｐｐｌｉｅｄ  Ｐｈｙｓｉｃｓ，  ２９（２），  ｐａｒｔ  ２，  ｐｐ．Ｌ２４０−２４２